(57)【要約】    【課題】      ＴＦＣセレクションにおける演算量を少なくすること。    【解決手段】  最大送信電力比較部１０５は推定送信電力と上り送信に許容されている最大送信電力とを比較し、該当するゲインファクタが最大送信電力を超えているか否かの情報をＴＦＣ選択部１０７に出力する。最大送信電力比較部１０５はこの動作をゲインファクタが最大送信電力を超えている間繰り返す。ＴＦＣ選択部１０７はゲインファクタが最大送信電力を超えていない旨の情報に変化したとき、ＴＦＣ−ゲインファクタ対応関係算出部１０６から受け取っていたＴＦＣＳ中に存在する全てのＴＦＣとゲインファクタとの対応関係からＴＦＣを選択する。  【選択図】      図１
2006253949.tif 000002
【特許請求の範囲】
【請求項１】
ＴＦＣセレクションを行う通信端末装置において、ゲインファクタと送信電力との対応関係に基づき最大送信電力よりも大きくなるゲインファクタの境界を算出する算出手段と、算出した前記境界から最大送信電力よりも大きいＴＦＣを前記ゲインファクタとＴＦＣとの対応関係に基づき判定するＴＦＣ判定手段と、前記ＴＦＣ判定手段が判定した中からＴＦＣを選択するＴＦＣ選択手段と、を具備することを特徴とする通信端末装置。
【請求項２】
前記算出手段は、ゲインファクタに対する送信電力オフセットが大きい順番に算出することによって最大送信電力よりも大きくなるゲインファクタの境界を算出することを特徴とする請求項１記載の通信端末装置。
【請求項３】
前記算出手段は、二分探索処理によって最大送信電力よりも大きくなるゲインファクタの境界を算出することを特徴とする請求項１記載の通信端末装置。
【請求項４】
前記ＴＦＣ判定手段は、コンプレストモード時に、ギャップの大きさに応じてゲインファクタとＴＦＣとの対応関係を変化させてＴＦＣを判定することを特徴とする請求項１記載の通信端末装置。
【請求項５】
ＴＦＣセレクションを行う通信端末装置において、ゲインファクタと送信電力との対応関係に基づき最大送信電力よりも大きくなるゲインファクタの境界を算出し、算出した前記境界から最大送信電力よりも大きいＴＦＣを前記ゲインファクタとＴＦＣとの対応関係に基づき判定する、ことを特徴とするＴＦＣ判定方法。
【発明の詳細な説明】
【技術分野】
【０００１】
本発明は、ＴＦＣ（Transport Format Combination）セレクションを行う通信端末装置及びＴＦＣ判定方法に関する。
【背景技術】
【０００２】
従来、通信端末装置は、非特許文献１で規格化されたＴＦＣセレクションと呼ばれる方法によって最適なＴＦＣを選択して上り送信を行っている。以下、図７を用いて、その概要を説明する。
【０００３】
図７は、ＴＦＣセレクションを行う従来の通信端末装置の構成例を示すブロック図である。図７に示す従来の通信端末装置は、ＴＦＣ制御部７０１と、送信電力オフセット算出部７０２と、基準送信電力算出部７０３と、推定送信電力算出部７０４と、最大送信電力比較部７０５と、ＴＦＣ選択部７０６とを備えている。
【０００４】
ＴＦＣ制御部７０１は、ＴＦＣＳ（Transport Format Combination Set）の中からあるＴＦＣのゲインファクタを取り出し、それを送信電力オフセット算出部７０２に与える。送信電力オフセット算出部７０２は、入力したＴＦＣのゲインファクタからＤＰＣＣＨ（Dedicated Physical Control Channel）に対するＤＰＤＣＨ（Dedicated Physical Data Channel）の送信電力オフセットを算出し、それを推定送信電力算出部７０４に与える。一方、基準送信電力算出部７０３は、現在送信中のＤＰＣＣＨの電力を算出し、それを基準送信電力として推定送信電力算出部７０４に出力する。
【０００５】
推定送信電力算出部７０４は、基準送信電力と送信電力オフセットとを加算して推定送信電力を算出し、それを最大送信電力比較部７０５に出力する。最大送信電力比較部７０５は、推定送信電力と上り送信に許容されている最大送信電力との大小関係を比較し、該当するＴＦＣが最大送信電力を超えているか否かの情報をＴＦＣ選択部７０６に与える。
【０００６】
以上の動作がＴＦＣＳ中の全ＴＦＣに対して行われ、ＴＦＣ選択部７０６には、全てのＴＦＣに対して最大送信電力が超えているか否かの情報が入力するので、ＴＦＣ選択部７０６は、その入力する全てのＴＦＣに対する最大送信電力を超えているか否かの情報を元に最適なＴＦＣを選択する。
【０００７】
図８は、全てのＴＦＣと最大送信電力との比較結果を示す図である。図８において、推定送信電力Ｐ０、Ｐ１、Ｐ２が最大送信電力よりも超えているとすると、最大送信電力を超えているＴＦＣは、ＴＦＣ０、ＴＦＣ１、ＴＦＣ３、・・・、ＴＦＣ６３となる。
【０００８】
このように、ＴＦＣセレクションでは、ＴＦＣＳの中から最適なＴＦＣを選択するために、それぞれのＴＦＣにおける推定した通信端末装置の送信電力を使用する。この推定した通信端末装置の送信電力は、ＴＦＣのゲインファクタから算出したＤＰＣＣＨに対するＤＰＤＣＨの送信電力オフセットと、通信端末装置の送信電力を推定する際に送信中のＤＰＣＣＨの電力である基準送信電力とを使用して算出される。
【非特許文献１】３ＧＰＰ  ＴＳ２５．１３３
【発明の開示】
【発明が解決しようとする課題】
【０００９】
ところが、ＴＦＣセレクションを行う従来の通信端末装置では、ＴＦＣの数だけ最大送信電力を超えているか否かの情報を算出するため、演算量が多くなるという問題がある。
【００１０】
本発明は、かかる点に鑑みてなされたものであり、ＴＦＣセレクションにおける演算量を少なくする通信端末装置及びＴＦＣ判定方法を提供することを目的とする。
【課題を解決するための手段】
【００１１】
かかる課題を解決するため、本発明に係る通信端末装置は、ＴＦＣセレクションを行う通信端末装置において、ゲインファクタと送信電力との対応関係に基づき最大送信電力よりも大きくなるゲインファクタの境界を算出する算出手段と、算出した前記境界から最大送信電力よりも大きいＴＦＣを前記ゲインファクタとＴＦＣとの対応関係に基づき判定するＴＦＣ判定手段と、前記ＴＦＣ判定手段が判定した中からＴＦＣを選択するＴＦＣ選択手段とを具備する構成を採る。
【００１２】
この構成によれば、ゲインファクタの組み合わせ数は固定値である点に着目し、ＴＦＣの数ではなく、ゲインファクタの組み合わせの数だけ最大送信電力を超えているか否かの情報を算出するので、ＴＦＣの数が多い場合に演算量を少なくすることができる。
【００１３】
また、本発明に係る通信端末装置は、上記の発明において、前記算出手段は、ゲインファクタに対する送信電力オフセットが大きい順番に算出することによって最大送信電力よりも大きくなるゲインファクタの境界を算出するという構成を採る。
【００１４】
この構成によれば、ゲインファクタによる送信電力オフセットの大きい順番に処理を行い、最大送信電力以内になった時点で処理を中止するため、平均の演算量を少なくすることができる。
【００１５】
また、本発明に係る通信端末装置は、上記の発明において、前記算出手段は、二分探索処理によって最大送信電力よりも大きくなるゲインファクタの境界を算出するという構成を採る。
【００１６】
この構成によれば、ゲインファクタの組み合わせ数は固定値であるので、少ない処理回数で最大送信電力を超えた境界を算出することができる。そのため、上記の発明よりもさらに演算量を少なくすることができる。
【００１７】
また、本発明に係る通信端末装置は、上記の発明において、前記ＴＦＣ判定手段は、コンプレストモード時に、ギャップの大きさに応じてゲインファクタとＴＦＣとの対応関係を変化させてＴＦＣを判定するという構成を採る。
【００１８】
この構成によれば、コンプレストモード時に、より精密にＴＦＣを選択することができる。
【００１９】
また、本発明に係るＴＦＣ判定方法は、ＴＦＣセレクションを行う通信端末装置において、ゲインファクタと送信電力との対応関係に基づき最大送信電力よりも大きくなるゲインファクタの境界を算出し、算出した前記境界から最大送信電力よりも大きいＴＦＣを前記ゲインファクタとＴＦＣとの対応関係に基づき判定するようにした。
【００２０】
この方法によれば、ゲインファクタの組み合わせ数は固定値である点に着目し、ＴＦＣの数ではなく、ゲインファクタの組み合わせの数だけ最大送信電力を超えているか否かの情報を算出するので、ＴＦＣの数が多い場合に演算量を少なくすることができる。
【発明の効果】
【００２１】
本発明によれば、ゲインファクタの組み合わせの数だけ最大送信電力を超えているか否かの情報を算出するので、演算量を少なくすることができる。
【発明を実施するための最良の形態】
【００２２】
本発明の骨子は、最大送信電力よりも大きくなるゲインファクタの境界を算出し、ゲインファクタとＴＦＣとの対応関係に基づき、算出した境界から最大送信電力よりも大きいＴＦＣを判定することである。これによって、ゲインファクタの組み合わせの数だけ最大送信電力を超えているか否かの情報を算出するため、演算量を少なくすることができるようになる。
【００２３】
以下、本発明の実施の形態について図面を参照して詳細に説明する。
【００２４】
（実施の形態１）
図１は、本発明の実施の形態１に係る通信端末装置の構成を示すブロック図である。図１に示す通信端末装置１００は、ＴＦＣ制御部１０１と、送信電力オフセット算出部１０２と、基準送信電力算出部１０３と、推定送信電力算出部１０４と、最大送信電力比較部１０５と、ＴＦＣ−ゲインファクタ対応関係算出部１０６と、ＴＦＣ選択部１０７とを備えている。
【００２５】
次に、図１〜図３を参照して、以上のように構成される実施の形態１に係る通信端末装置１００の動作について説明する。なお、図２は、ＴＦＣとゲインファクタとの対応関係を説明する図である。図３は、ＴＦＣの選択方法を説明する図である。
【００２６】
ＴＦＣ制御部１０１は、まず、ＴＦＣＳ中に存在する全ＴＦＣのゲインファクタをＴＦＣ−ゲインファクタ対応関係算出部１０６に出力する。ＴＦＣ−ゲインファクタ対応関係算出部１０６は、ＴＦＣＳ中に存在する全てのＴＦＣとゲインファクタとの対応関係を算出し、算出したＴＦＣとゲインファクタとの対応関係をＴＦＣ選択部１０７に出力する。
【００２７】
ここで、ＤＰＣＣＨのゲインをβｃとし、ＤＰＤＣＨのゲインをβｄとすると、図２に示すように、ＤＰＣＣＨのゲインβｃとＤＰＤＣＨのゲインβｄとの組み合わせ（βｄ，βｃ）は、（１５，１）、（１５，２）、・・・、（１，１５）、（０，１５）の３０通り存在する。
【００２８】
一方、ＴＦＣのゲインファクタによる送信電力オフセットは、以下の式（１）で表される。式（１）から理解できるように、送信電力オフセットは、ＤＰＣＣＨのゲインβｃに対してＤＰＤＣＨのゲインβｄが大きくなると、大きくなる。
送信電力オフセット＝１０ｌｏｇ｛１＋（βｄ／βｃ）２｝        （１）
【００２９】
そこで、ＴＦＣ−ゲインファクタ対応関係算出部１０６は、送信電力オフセットが大きい順番に「０」〜「２９」のインデックス（ｉｎｄｅｘ）を付加し、それにＴＦＣをマッピングしたものを作成する。これがＴＦＣ選択部１０７に与えられる。
【００３０】
また、ＴＦＣ制御部１０１は、ＴＦＣＳ中に存在するＴＦＣのゲインファクタをそのゲインファクタによる送信電力オフセットが大きい順番に送信電力オフセット算出部１０２に出力することを、最大送信電力比較部１０５から最大送信電力を超えている旨の情報を受け取っている間、繰り返し行う。
【００３１】
図２に示す例で言えば、ＴＦＣ制御部１０１は、最大送信電力比較部１０５から最大送信電力を超えている旨の情報を受け取っている間、インデックスの「０」，「１」，「２」，・・の順に送信電力オフセット算出部１０２に与える。
【００３２】
送信電電力オフセット算出部１０２は、受け取ったインデックスのゲインファクタを式（１）に適用してＤＰＣＣＨに対するＤＰＤＣＨの送信電力オフセットを算出し、それを推定送信電力算出部１０４に与える。
【００３３】
一方、基準送信電力算出部１０３は、現在送信中のＤＰＣＣＨの電力を算出し、それを基準送信電力として推定送信電力算出部１０４に与える。
【００３４】
推定送信電力算出部１０４は、基準送信電力と送信電力オフセットとを加算して推定送信電力を算出し、それを最大送信電力比較部１０５に出力する。
【００３５】
最大送信電力比較部１０５は、推定送信電力と上り送信に許容されている最大送信電力とを比較し、該当するゲインファクタが最大送信電力を超えているか否かの情報をＴＦＣ選択部１０７に出力する。このとき、最大送信電力比較部１０５は、該当するゲインファクタが最大送信電力を超えている場合、最大送信電力を超えている旨の情報をＴＦＣ制御部１０１に出力する。これによって、ゲインファクタが最大送信電力を超えている間、以上の動作が繰り返される。
【００３６】
ＴＦＣ選択部１０７は、最大送信電力比較部１０５から受け取るゲインファクタに対する最大送信電力を超えているか否かの情報が、最大送信電力を超えている旨の情報から最大送信電力を超えていない旨の情報に変化したとき、ＴＦＣ−ゲインファクタ対応関係算出部１０６から受け取っていたＴＦＣとゲインファクタとの対応関係から最適なＴＦＣを選択する。
【００３７】
図３では、推定送信電力「Ｐ０」〜「Ｐ２」は上り送信に許容されている最大送信電力よりも大きく、推定送信電力「Ｐ３」以降は上り送信に許容されている最大送信電力よりも小さいとしている。したがって、上り送信に許容されている最大送信電力は、推定送信電力Ｐ３よりも大きく、推定送信電力Ｐ２よりも小さいとなる。
【００３８】
この場合、最大送信電力比較部１０５は、推定送信電力「Ｐ３」との比較結果に基づき最大送信電力を超えているか否かの情報を、最大送信電力を超えている旨の情報から最大送信電力を超えていない旨の情報に変化させる。これによって、この時点でＴＦＣを判定する上記した動作は、終了となり、ＴＦＣ選択部１０７による選択動作が開始される。
【００３９】
図３に示す例では、インデックスの「０」、「１」、「２」は最大送信電力を超えていることになる。インデックス「３」では最大送信電力以内となるので、インデックス４以降についての上記したＴＦＣ判定動作は行わないことになる。インデックス「０」〜「２」に属するＴＦＣは、ＴＦＣ０、ＴＦＣ１、ＴＦＣ３、・・・、ＴＦＣ６３となるため、これらのＴＦＣは最大送信電力を超えていることが解る。これら以外の中から適切なＴＦＣを選択することになる。
【００４０】
なお、該当するゲインファクタが上り送信に許容されている最大送信電力を超えているか否かの情報を、ゲインファクタに対する送信電力オフセットが大きい順番に算出して求めたが、二分探索処理を用いてもよい。二分探索処理によれば、最大送信電力を超えた境界を算出することができる。図３に示す例で言えば、二分探索処理を行うことにより、ＴＦＣの数によらず、一連の処理を５回行うことで、最大送信電力を超えた境界を算出することができる。
【００４１】
このように、本実施の形態１によれば、ゲインファクタの組み合わせ数は、固定値である点に着目して、ＴＦＣの数ではなく、ゲインファクタの組み合わせの数だけ最大送信電力を超えているか否かの情報を算出するようにしたので、ＴＦＣの数が多い場合に演算量を少なくすることができる。
【００４２】
また、ゲインファクタによる送信電力オフセットの大きい順番に処理を行い、最大送信電力以内になった時点で処理を中止するので、平均の演算量を少なくすることができる。
【００４３】
加えて、二分探索処理を行うことにより、ＴＦＣの数によらず、少ない処理回数で、最大送信電力を超えた境界を算出することができるので、さらに演算量を少なくすることができる。
【００４４】
（実施の形態２）
図４は、本発明の実施の形態２に係る通信端末装置の構成を示すブロック図である。なお、図４では、図１（実施の形態１）に示した構成要素と同一ないしは同等である構成要素には同一の符号が付されている。ここでは、本実施の形態２に関わる部分を中心に説明する。
【００４５】
図４に示すように、本実施の形態２に係る通信端末装置４００は、図１（実施の形態１）に示した構成において、ＴＦＣ−ゲインファクタ対応関係算出部１０６に代えてＴＦＣ−ゲインファクタ対応関係算出部４０１が設けられ、ＴＦＣ選択部１０７に代えてＴＦＣ選択部４０２が設けられている。
【００４６】
ＴＦＣ−ゲインファクタ対応関係算出部４０１は、コンプレストモード（Compressed Mode）時に、例えば図５に示すように、ギャップ（Ｇａｐ）の長さに応じてＴＦＣとゲインファクタとの対応関係を算出する。
【００４７】
図５は、コンプレストモード時のＴＦＣとゲインファクタとの対応関係を説明する図である。図５に示すように、コンプレストモード時のＴＦＣに対応したゲインファクタは、ギャップ（Ｇａｐ）の大きさによって異なることがある。ＴＦＣ３は、ギャップ（Ｇａｐ）の大きさが０、１スロットの場合はインデックス０のゲインファクタになるが、ギャップ（Ｇａｐ）の大きさが２スロットの場合はインデックス１のゲインファクタ、ギャップ（Ｇａｐ）の大きさが７スロットの場合はインデックス２のゲインファクタになる。
【００４８】
図６は、コンプレストモード時のＴＦＣの選択方法を説明する図である。図６において上り送信に許容されている最大送信電力が推定送信電力Ｐ３よりも大きく、推定送信電力Ｐ２よりも小さいとする。この場合、インデックスの「０」、「１」、「２」は最大送信電力を超えていることになる。インデックス「３」では最大送信電力以内となるため、インデックス４以降の一連の動作は行わない。ギャップ（Ｇａｐ）の大きさが０、１スロットの場合は、インデックス「０」、「１」、「２」に属するＴＦＣはＴＦＣ０、ＴＦＣ１、ＴＦＣ３、・・・、ＴＦＣ６３となるが、ギャップ（Ｇａｐ）の大きさが２、・・・、７スロットの場合、インデックス「０」、「１」、「２」に属するＴＦＣはＴＦＣ０、ＴＦＣ３、・・・、ＴＦＣ６３となり、ギャップ（Ｇａｐ）の大きさによって最大送信電力を超えているＴＦＣが異なる。
【００４９】
このように、本実施の形態２によれば、コンプレストモード時にギャップの大きさに応じてゲインファクタとＴＦＣとの対応関係を変化させることができるので、コンプレストモード時に、より精密にＴＦＣを選択することができる。
【産業上の利用可能性】
【００５０】
本発明は、ＴＦＣセレクションを行う通信端末装置において、ＴＦＣセレクションにおける演算量を少なくするのに有用である。
【図面の簡単な説明】
【００５１】
【図１】本発明の実施の形態１に係る通信端末装置の構成を示すブロック図
【図２】ＴＦＣとゲインファクタとの対応関係を説明する図
【図３】ＴＦＣの選択方法を説明する図
【図４】本発明の実施の形態２に係る通信端末装置の構成を示すブロック図
【図５】コンプレストモード時のＴＦＣとゲインファクタとの対応関係を説明する図
【図６】コンプレストモード時のＴＦＣの選択方法を説明する図
【図７】ＴＦＣセレクションを行う従来の通信端末装置の構成例を示すブロック図
【図８】ＴＦＣと最大送信電力との比較結果を示す図
【符号の説明】
【００５２】
１００、４００  通信端末装置
１０１  ＴＦＣ制御部
１０２  送信電力オフセット算出部
１０３  基準送信電力算出部
１０４  推定送信電力算出部
１０５  最大送信電力比較部
１０６、４０１  ＴＦＣ−ゲインファクタ対応関係算出部
１０７、４０２  ＴＦＣ選択部
【図１】
2006253949.tif 000003
【図２】
2006253949.tif 000004
【図３】
2006253949.tif 000005
【図４】
2006253949.tif 000006
【図５】
2006253949.tif 000007
【図６】
2006253949.tif 000008
【図７】
2006253949.tif 000009
【図８】
2006253949.tif 000010